(57)【特許請求の範囲】
【請求項１】
支持枠の上にガラス体の周縁を載置すると共にガラス体を介して支持枠の上に載置した押さえ枠との間にガラス体の周縁を挟持してガラス窓体を形成し、屋根面の採光用開口の周縁に立ち上げた立ち上げ枠にガラス窓体を開閉自在に装着した採光窓において、ガラス体の下面と支持枠の上面との間に支持枠の内周より控えた位置で全周に亙るように止水パッキンを介装し、矩形状の支持枠のうち水下側に位置する水下側枠材上では他の部分よりさらに上記止水パッキンの位置を水下側に控えて止水パッキンと水下側枠材上面とガラス面とで深さの深い結露水用の貯水部を形成し、支持枠のコーナ部である水下側枠材の両端より中央の側に片寄った位置で貯水部の水を外部に排水するための排水溝をガラス体や押さえ枠と水下側枠材との間に形成し、さらに水下側枠材の上に配置する止水パッキンのうち水下側枠材の長手方向の両端側に配置する端部側止水パッキン部を水下側に大きく控えて深さの深い貯水部を形成し、両方の端部側止水パッキン部間に配置する中央側止水パッキン部を水下側に控える量を少なくして深さの浅い貯水部を形成すると共に中央側止水パッキン部より水下側の部分をロック等の開閉機構の固定スペースとして成ることを特徴とする採光窓の結露水の排水構造。
【請求項２】
端部側止水パッキン部と中央側止水パッキン部との間に排水溝を形成したことを特徴とする請求項１記載の採光窓の結露水の排水構造。
【発明の詳細な説明】
【０００１】
【発明の属する技術分野】
本発明は、屋根に採光のために設けた採光窓でガラス体の下面に結露した結露水を外部に排水する構造に関するものである。
【０００２】
【従来の技術】
この種の採光窓は図８に示すように構成されている。矩形状の支持枠１の上に複層ガラスのようなガラス体２の周縁を載置すると共にガラス体２を介して支持枠１の上に載置した押さえ枠３との間にガラス体２の周縁を挟持してガラス窓体４を形成し、屋根面の採光用開口の周縁に立ち上げた立ち上げ枠５にガラス窓体４を開閉自在に装着してある。押さえ枠３とガラス体２の周縁の上面との間には防水パッキン６を介装してあり、ガラス体２の周縁の下面と支持枠１との間にはガラス支持材７と止水パッキン８を介装してある。立ち上げ枠５の上端には水切り板９を全周に亙って装着してあり、水切り板９には全周に亙って起立片１０を立設してあり、起立片１０の上端にはガラス窓体４を閉塞したとき押さえ枠３に密着するシールパッキン１１を装着してある。起立片１０より内周側の位置で水切り板９の上には排水経路１２を設けてある。
【０００３】
支持枠１のうち水下側に位置する水下側枠材１ａの上面の水上側には長手方向に亙るように段部４１を設けてあり、この段部４１に長手方向に亙るようにチャンネル状の樋１３を埋設してあり、支持枠１の両側の側部枠材１ｂ間では樋１３が貯水部１４となり、側部枠材１ｂの部分では外部に排水する排水溝１５となっている。また水下側に位置する起立片１０の下端には排水口１６を設けてある。水下側枠材１ａの下面にはガラス窓体４を閉塞したときときロックするロック機構１７を装着してある。
【０００４】
ガラス体２の下面に結露した場合、結露水Ｗは水勾配に沿ってガラス面を流れて貯水部１４に受けられ、貯水部１４に受けられた結露水Ｗは排水溝１５から排出され、この結露水Ｗが排水経路１２の側部排水経路１２ｂに沿って流れ、排水経路１２の水下側排水経路１２ａに流れ込み、水下側排水経路１２ｂの結露水Ｗが排水口１６から外部に排出され、水切り板９の端部で水切りされて屋根上に排水されるようになっている。
【０００５】
【発明が解決しようとする課題】
ところで、上記従来例では、貯水部１４に溜まった結露水Ｗを水平な（水勾配のない）排水溝１５で排水するためにスムーズに排水できなく、貯水部１４に多量の結露水Ｗが溜まると、樋１３と段部１２との間の隙間を水が伝い、室内側に滴下するという問題がある。またガラス体２の両側の下端が最も温度が下がりやすい部位であるが、そこに排水溝１５があるために排水溝１５が凍結で閉栓されやすく、また貯水部１４の容量も小さいため、冬季の寒い日が続くと、貯水部１４が全て凍結し、ガラス面を流下してきた結露水Ｗがオーバーフローして室内に滴下されるという問題があった。
【０００６】
本発明は上記の点に鑑みてなされたものであり、結露水の室内への滴下を抑えることができる採光窓の結露水の排水構造を提供することを課題とするものである。
【０００７】
【課題を解決するための手段】
上記課題を解決するための本発明の採光窓の結露水の排水構造は、支持枠１の上にガラス体２の周縁を載置すると共にガラス体２を介して支持枠１の上に載置した押さえ枠３との間にガラス体２の周縁を挟持してガラス窓体４を形成し、屋根面の採光用開口の周縁に立ち上げた立ち上げ枠５にガラス窓体４を開閉自在に装着した採光窓において、ガラス体２の下面と支持枠１の上面との間に支持枠１の内周より控えた位置で全周に亙るように止水パッキン８を介装し、矩形状の支持枠１のうち水下側に位置する水下側枠材１ａ上では他の部分よりさらに上記止水パッキン８の位置を水下側に控えて止水パッキン８と水下側枠材１ａ上面とガラス面とで深さの深い結露水用の貯水部１４を形成し、支持枠１のコーナ部である水下側枠材１ａの両端より中央の側に片寄った位置で貯水部１４の水を外部に排水するための排水溝１５をガラス体２や押さえ枠３と水下側枠材１ａとの間に形成し、さらに水下側枠材１ａの上に配置する止水パッキン８のうち水下側枠材１ａの長手方向の両端側に配置する端部側止水パッキン部８ａを水下側に大きく控えて深さの深い貯水部１４を形成し、両方の端部側止水パッキン部８ａ間に配置する中央側止水パッキン部８ｂを水下側に控える量を少なくして深さの浅い貯水部１４を形成すると共に中央側止水パッキン部８ｂより水下側の部分をロック等の開閉機構の固定スペース１８として成ることを特徴とする。ガラス体２の下面に結露した結露水Ｗは水勾配によってガラス面に沿って流下し、結露水Ｗが貯水部１４に受けられ、排水溝１５から外部に排水される。排水溝１５で結露水Ｗを排水するとき水勾配ある排水溝１５で排水されて貯水部１４に溜まった結露水Ｗがスムーズに排水される。これにより貯水部１４を越えて結露水が室内に滴下するおそれがなくなる。また温度の下がりやすいガラス体２の下部の両端より中央側に片寄った位置に排水溝１５を設けてあるために冬季でも排水溝１５が凍結されて閉塞されにくい。またたとえ排水溝１５で凍結しても貯水部１４が深くて容量が大きいために貯水部１４から結露水Ｗがオーバーフローして室内に滴下し始めるまでの期間を延長することができる。凍結した氷は、日射や日中の温度上昇で融氷して行くが、寒波到来時などの連続して氷点下気温が続いた場合特に有効に作用する。またガラス窓体４を立ち上げ枠５に開閉自在に装着し、水下側枠材１ａの上に配置する止水パッキン８のうち水下側枠材１ａの長手方向の両端側に配置する端部側止水パッキン部８ａを水下側に大きく控えて深さの深い貯水部１４を形成し、両方の端部側止水パッキン部８ａ間に配置する中央側止水パッキン部８ｂを水下側に控える量を少なくして深さの浅い貯水部１４を形成すると共に中央側止水パッキン部８ｂより水下側の部分をロック等の開閉機構の固定スペース１８としたことにより、水下側枠材１ａに深さの深い貯水部１４を設けるものでもロック等の開閉機構の固定スペース１８を確保できる。
【０００９】
また端部側止水パッキン部８ａと中央側止水パッキン部８ｂとの間に排水溝１５を形成したことを特徴とすることも好ましい。深さの深い貯水部１４や深さの浅い貯水部１４があっても排水溝１５にてスムーズに排水することができる。
【００１０】
【発明の実施の形態】
ガラス窓体４は図１や図２に示すように矩形状の支持枠１とガラス体２と押さえ枠３とで主体が構成されている。ガラス体２は複層ガラスであって、上下のガラス２０間の周縁に封止材２１を介装して一体化してあり、内部を減圧したり真空にしたりして断熱構造にしてある。支持枠１は合成樹脂発泡体のような樹脂材にて形成されており、水下側枠材１ａ、水上側枠材１ｃ、両側の側部枠材１ｂを矩形状に枠組みして形成されている。押さえ枠３はアルミニウムのような金属で形成せる枠材を矩形状に枠組みして形成されている。
【００１１】
支持枠１の上面にガラス体２の周縁が載置され、ガラス体２の周縁上に押さえ枠３が載置され、支持枠１と押さえ枠３とを締結ボルト２２の締結で支持枠１と押さえ枠３との間にガラス体２の周縁を挟持するように一体化してガラス窓体４を組み立ててある。押さえ枠３とガラス体２の周縁の上面との間には全周に亙って防水パッキン６を介装してシールしてあり、ガラス体２の周縁の下面と支持枠１の上面との間にはゴム、合成樹脂等のガラス支持材７と発泡合成樹脂等の止水パッキン８とを全周に亙るように介装してある。止水パッキン８はガラス支持材７より内周側に配置されるが、図３に示すように支持枠１の内周より外周側に控えた位置に配置される。支持枠１の水下側枠材１ａの上では止水パッキン８が他の部分より水下側に控えた位置に配置されており、水下側枠材１ａの上面と止水パッキン８とガラス面とで貯水部１４を形成してある。
【００１２】
本例の場合、水下側枠材１ａの上の止水パッキン８には水下側枠材１ａの長手方向の両端に位置する端部側止水パッキン部８ａと中央に位置する中央側止水パッキン部８ｂとがある。端部側止水パッキン部８ａは十分に水下側に控えてあって、この部分の水上側に深さの深い貯水部１４を形成してある。中央側止水パッキン部８ｂは端部側止水パッキン部８ａほど水下側に控えていなく、この部分の水上側に深さの浅い貯水部１４を形成してある。この中央側止水パッキン部８ｂの水下側はロック等の開閉機構の固定スペース１８にしてある。端部側止水パッキン部８ａと中央側止水パッキン部８ｂとの間には溝型材を取り付けることで水勾配方向に排水溝１５を設けてある。
【００１３】
屋根面の採光用開口の周縁には発泡合成樹脂のような樹脂製の立ち上げ枠５を周方向に亙るように立設してあり、この立ち上げ枠５の上にガラス窓体４を配置してあり、ガラス窓体４の水上側の端部を立ち上げ枠５に開閉自在に装着してある。立ち上げ枠５の内周には段部２５を全周に亙って装着してあり、段部２５には気密パッキン２６を全周に亙って装着してあり、ガラス窓体４を閉塞したとき支持枠１の外周の下端を密着させてある。立ち上げ枠５の上端には防水板２７を介して水切り板９を全周に亙って装着してあり、水切り板９から一体に起立片１０を立ち上げてあり、起立片１０を全周に亙って設けてある。この水切り板９及び起立片１０はコーナ部ではコーナ金具３９で接続されている。起立片１０の上端には全周に亙ってシールパッキン１１を装着してあり、ガラス窓体４を閉塞したとき押さえ枠３をシールパッキン１１に密着させて防水できるようになっている。起立片１０より内周側の位置で水切り板９の上には排水経路１２を設けてあり、水下側に位置する起立片１０の下端には排水口１６を内外に貫通するように穿孔してあり、排水経路１２と外部とを排水口１６にて連通させてある。
【００１４】
水切り板９の外周には全周に亙るように水切り押さえ枠２８を全周に亙るように配置してあり、水切り押さえ枠２８の内周に全周に全周に亙って設けた弾性シール材２９を水切り板９の外周端に圧接してある。そして水切り押さえ枠２８の周方向の適所に押さえ金具３７を配置し、この押さえ金具３７をビス３０にて起立片１０に固定すると共に押さえ金具３７で水切り押さえ枠２８を押さえて固定してある。
【００１５】
支持枠１の水下側枠材１ａの下と立ち上げ枠５の内周との間にはロック機構１７を装着してある。このロック機構１７は立ち上げ枠５の内周にボルト３１にて取り付けたロック受け３２と、水下側枠材１ａの下面にボルト３３，３４にて取り付けたロック具３５と、ロック具３５に回動自在に取り付けた開閉操作具３６とで構成されている。このとき、水下側枠材１ａの上面に固定スペース１８を確保してあるためにボルト３３，３４を打入してロック具３５を取り付けることができる。
【００１６】
上記のように採光窓が形成され、ガラス体２の下面に結露した結露水Ｗは水勾配によってガラス面に沿って流下し、結露水Ｗが貯水部１４に受けられ、排水溝１５から排水経路１２に排水され、排水経路１２から排水口１６、水切り板９、水切り押さえ枠２８を介して外部に排水される。排水溝１５で結露水Ｗを排水するとき水勾配ある排水溝１５で排水されて貯水部１４に溜まった結露水Ｗがスムーズに排水される。これにより貯水部１４を越えて結露水が室内に滴下するおそれがなくなる。また温度の下がりやすいガラス体２の下部の両端より中央側に片寄った位置に排水溝１５を設けてあるために冬季でも排水溝１５が凍結されて閉塞されにくい。またたとえ排水溝１５で凍結しても貯水部１４が深くて容量が大きいために貯水部１４から結露水Ｗがオーバーフローして室内に滴下し始めるまでの期間を延長することができる。凍結した氷は、日射や日中の温度上昇で融氷して行くが、寒波到来時などの連続して氷点下気温が続いた場合特に有効に作用する。
【００１７】
また図６、図７は他の例を示すものである。上記の例の場合、全周に亙って設ける水切り押さえ枠２８の内周の全周に図７（ｂ）に示すように弾性シール材２９を装着してあるが、本例の場合、図６、図７（ａ）に示すように水下側の水切り押さえ枠２８の部分だけ弾性シール材２９を設けていない。上記例のように弾性シール材２９を全周に亙って設けてあると、水下側でも水切り板９の水下側の端部が弾性シール材２９に密着して水切り押さえ枠２８と水切り板９との間の隙間Ｓにて形成される凹部に水が溜まる。すると、台風等の強風時に風にて煽られると、この凹部に溜まった水が逆流するおそれがある。ところが、上記のように水下側の水切り押さえ枠２９の部分だけ弾性シール材２９が設けてないと、水切り板９と水切り押さえ枠２８との間の隙間Ｓが上下に貫通し、排水口１６から排水された結露水Ｗが溜まることがない。
【００１８】
なお、上記例ではガラス窓体４を開閉自在に設けた例について述べたが、ガラス窓体４が固定された密閉タイプのものでも同様に実施できる。
【００１９】
【発明の効果】
本発明の請求項１の発明は、ガラス体の下面と支持枠の上面との間に支持枠の内周より控えた位置で全周に亙るように止水パッキンを介装し、矩形状の支持枠のうち水下側に位置する水下側枠材上では他の部分よりさらに上記止水パッキンの位置を水下側に控えて止水パッキンと水下側枠材上面とガラス面とで深さの深い結露水用の貯水部を形成し、支持枠のコーナ部である水下側枠材の両端より中央の側に片寄った位置で貯水部の水を外部に排水するための排水溝をガラス体や押さえ枠と水下側枠材との間に形成したものであって、ガラス体の下面に結露した結露水は水勾配によってガラス面に沿って流下し、結露水が貯水部に受けられ、排水溝から外部に排水されるのは勿論、排水溝で結露水を排水するとき水勾配ある排水溝で排水されて貯水部に溜まった結露水がスムーズに排水され、貯水部を越えて結露水が室内に滴下するおそれがなくなるものであり、また温度の下がりやすいガラス体の下部の両端より中央側に片寄った位置に排水溝を設けてあるために冬季でも排水溝が凍結されて閉塞されにくいものであり、さらにたとえ排水溝で凍結しても貯水部が深くて容量が大きいために貯水部から結露水がオーバーフローして室内に滴下し始めるまでの期間を延長することができるものであり、さらに水下側枠材の上に配置する止水パッキンのうち水下側枠材の長手方向の両端側に配置する端部側止水パッキン部を水下側に大きく控えて深さの深い貯水部を形成し、両方の端部側止水パッキン部間に配置する中央側止水パッキン部を水下側に控える量を少なくして深さの浅い貯水部を形成すると共に中央側止水パッキン部より水下側の部分をロック等の開閉機構の固定スペースとしたので、水下側枠材に深さの深い貯水部を設けるものでもロック等の開閉機構の固定スペースを確保できるものである。
【００２１】
また本発明の請求項２の発明は、請求項１において、端部側止水パッキン部と中央側止水パッキン部との間に排水溝を形成したので、深さの深い貯水部や深さの浅い貯水部があっても排水溝にてスムーズに排水することができるものである。
【図面の簡単な説明】
【図１】本発明の実施の形態の一例を示す正面から見た断面図である。
【図２】同上の側面から見た断面図である。
【図３】同上の要部の斜視図である。
【図４】図１の要部を拡大せる断面図である。
【図５】同上の全体の外観を示す斜視図である。
【図６】同上の他の例の要部を拡大せる断面図である。
【図７】（ａ）（ｂ）は同上の水切り押さえ枠の弾性シール材を設ける位置を説明する説明図である。
【図８】（ａ）は従来例の要部を拡大せる断面図、（ｂ）は従来例の要部の斜視図である。
【符号の説明】
１  支持枠
１ａ  水下側枠材
２  ガラス体
３  押さえ枠
４  ガラス窓体
５  立ち上げ枠
８  止水パッキン
１４  貯水部
１５  排水溝
１８  固定スペース
【図１】
0003603845.tif 000002
【図２】
0003603845.tif 000003
【図３】
0003603845.tif 000004
【図４】
0003603845.tif 000005
【図５】
0003603845.tif 000006
【図６】
0003603845.tif 000007
【図７】
0003603845.tif 000008
【図８】
0003603845.tif 000009